(57)【要約】【課題】デザインの多様化に対応しやすく、立体感に優れ、耐久性があり安全性が高い硝子表示具の提供を目的とする。【解決手段】対向する少なくとも２枚の硝子板と、デザイン体とを備え、デザイン体は対向する２枚の硝子板の間に挟持してある。  この場合にデザイン体の大きさを硝子板より小さくして、硝子板とデザイン体との間に接着性フィルムを設けるとよい。  また表示側硝子板の内側面に文字部を形成することで文字部がデザイン体の上に現れる。【選択図】  図１
2007101977.tif 000002
【特許請求の範囲】
【請求項１】
対向する少なくとも２枚の硝子板と、デザイン体とを備え、
デザイン体は対向する２枚の硝子板の間に挟持してあることを特徴とする硝子表示具。
【請求項２】
デザイン体の大きさは硝子板の大きさよりも小さく、硝子板とデザイン体との間に少なくとも１枚以上の接着性フィルムを有していることを特徴とする請求項１記載の硝子表示具。
【請求項３】
デザイン体の厚さは、４ｍｍ以下であることを特徴とする請求項１又２に記載の硝子表示具。
【請求項４】
対向する２枚の硝子板の内、表示側の硝子板内側面に微小凹凸による文字部を加工形成し、且つ文字部に着色材を塗布してあることを特徴とする請求項１〜３のいずれかに記載の硝子表示具。
【発明の詳細な説明】
【技術分野】
【０００１】
本発明は、表札や店舗表示サイン等を表示する各種表示具に関し、特に表示具本体部に硝子板を用いた硝子製の表示具に係る。
【背景技術】
【０００２】
木製、石材製等の表札あるいは、単板硝子製のサイン等は公知である。
しかし、木製の表示具は木製の板に墨等で文字表示してあるために紫外線、風雨等による経年変化が著しく耐久性に問題があった。
一方の石材製の表示具は耐久性があるが文字等を彫刻により加工するためにデザインの多様化に対応するのが難しかった。
また近年、色調及びデザインの多様化に対応した硝子製表札や硝子製サインが提案されている。
しかし、単板硝子板では欠けたり、割れたりする危険性が高いという問題があった。
特開平８−２０８２８３号公報及び特開平７−１３３１４４号公報には装飾用合わせガラスを開示するが、一般的な装飾ガラスであり、デザイン性及び立体感に優れた表示具を開示するものではない。
【０００３】
【特許文献１】特開平８−２０８２８３号公報
【特許文献２】特開平７−１３３１４４号公報
【発明の開示】
【発明が解決しようとする課題】
【０００４】
本発明は背景技術に内在する技術的課題に鑑みて、デザインの多様化に対応しやすく、立体感に優れ、耐久性があり安全性が高い硝子表示具の提供を目的とする。
【課題を解決するための手段】
【０００５】
本発明に係る硝子表示具は、対向する少なくとも２枚の硝子板と、デザイン体とを備え、デザイン体は対向する２枚の硝子板の間に挟持してあることを特徴とする。
ここでデザイン体とは、厚さ４ｍｍ以下のデザイン性のある絵、写真、和紙、金属箔、押し花及び葉等の自然造形物等をいい、とくに後述する文字表示部の背景となるものが良い。
ここでデザイン体の厚さ４ｍｍ以下としたのはデザイン体の厚みが４ｍｍを超えると硝子板の撓みが大きくなり割れやすくなる恐れがあるからである。
【０００６】
上記の場合に、デザイン体の大きさは硝子板の大きさよりも小さく、硝子板とデザイン体との間に少なくとも１枚以上の接着性フィルムを有していると、デザイン体の存在しない部分で２枚の硝子板が相互に接着し、硝子が万が一割れた場合でも硝子破片の飛散を防止する。
従って１枚の接着性フィルムで飛散防止の目的を達成するが２枚の硝子板とデザイン体とのそれぞれの間にそれぞれ接着性フィルムを設けるとより効果的である。
【０００７】
本発明に係る表示具においては特に、対向する２枚の硝子板の内、表示側の硝子板内側面に微小凹凸による文字部を加工形成し、且つ文字部に着色材を塗布してあることを特徴とする。
表示側の硝子板の内側面にショットブラスト加工等により、すり硝子状の微小凹凸からなる文字部を形成し、この文字部にインクや顔料等の着色材を塗布あるいはスプレー充填する。
これにより、表示具の表側（表示側）から見ると対向する少なくとも２枚の硝子板の間に挟持したデザイン体を背景にした文字部が立体的に映し出される。
【発明の効果】
【０００８】
本発明においては、対向する２枚の硝子板の間にデザイン体を挟持する構造にしたので顧客の多様化したニーズに対応してデザイン体を選択使用することができる。
硝子板とデザイン体との間に接着フィルムを設けることによりデザイン体を包み込むように２枚の硝子板が接着し、万が一に硝子板が破損してもその破片の飛散を防止するので安全性が高い。
表示側の硝子板の内面に微小凹凸加工による文字部を形成することにより、デザイン体を背景に文字部が現れ、耐久性に優れた高級感の高い表示具となる。
【発明を実施するための最良の形態】
【０００９】
本発明に係る表示具は表札に限らず店舗サイン等の各種表示具に適用できるが、以下表札を例に説明する。
図１に表札１０の斜視図を示し、図２にその要部断面図を示す。
なお、図１の表示具の側面は構造が分かり易いように断面端面を示す。
表側硝子板１１と裏側硝子板１２とは概ね同じ大きさ及び形状の硝子板からなり相互に対向配置してある。
硝子板１１、１２は、１００〜３００ｍｍ×１００〜３００ｍｍ程度の大きさのフロート板硝子で厚みが５〜１０ｍｍ程度である。
なお、硝子板は強化硝子や網入り板硝子であってもよい。
【００１０】
図２に示すように、表側硝子板１１の内側面にはショットブラスト加工等により文字部１５を形成してある。
文字部１５は、例えば文字部分を切り抜いた型紙やマスキング材を当てて、ブラストを噴射することで微小の凹凸をすり硝子状に形成することができ、マスキングした状態のまま、ブラストや硝子粉を取り除き、黒のインク、あるいは各種色調のインク、顔料を用いて塗布又はスプレー処理する。
インク又は顔料等が乾燥した後でマスキング材を剥がす。
図１に示した文字部の例は「増岡」と表示した表札である。
【００１１】
表側硝子板１１と裏側硝子板１２との対向面に接着フィルム１４ａ、１４ｂをそれぞれ貼り合わせ、その接着フィルム１４ａ、１４ｂの間にデザイン体１３を挟持する。
接着フィルムの例としてはエチレンビニルアセテート（ＥＶＡ）やポリビニルブチラール（ＰＶＢ）等が挙げられる。
図１、図２に示したデザイン体１３は、０．５ｍｍ程度の和紙の例であり、「竹林」の図柄が描かれている。
デザイン体１３は、２枚の硝子板の間に挟持できる厚み４ｍｍ以下のものであれば特に限定されないが耐久性の観点から吸湿性の弱いものがよい。
具体例としては上記和紙の他に絵や写真、金属箔のみならず押し花、葉等の自然造形物でもよい。
デザイン体の厚さを４ｍｍ以下としたのは２枚の硝子板で挟み込んだ場合に硝子板に生じる撓みを考慮したものである。
厚さが０．５〜１．０ｍｍ程度のデザイン体であれば図１に示すようにデザイン体１３の大きさが接着フィルム１４ａ，１４ｂの大きさよりも小さくなっていて、デザイン体の端部１３ａ、１３ｂを包み込むように表側接着フィルム１４ａと裏側接着フィルム１４ｂが接合して表示具が一体になる。
しかし、図３に例を示すようにデザイン体１３の厚さが２〜４ｍｍと厚い場合等には硝子板のコーナー部をビスやボルト等の連結部材で締め付ける方法があり、この場合にデザイン体の厚さを４ｍｍ以下に抑えることで硝子板の割れを防止したものである。
また、図３に示した例は、接着フィルム１１４が１枚の場合を示し、デザイン体が押し花のように隙間が多い場合や、形状が小さい場合に適用しやすい。
【図面の簡単な説明】
【００１２】
【図１】本発明に係る表示具（表札）の例を示す。
【図２】表示具の文字部付近の要部断面図を示す。
【図３】表示具の他の実施例を示す。
【符号の説明】
【００１３】
１０    表札
１１    表側硝子板
１２    裏側硝子板
１３    デザイン体
１４ａ  表側接着フィルム
１４ｂ  裏側接着フィルム
１５    文字部
１６    着色材
【図１】
2007101977.tif 000003
【図２】
2007101977.tif 000004
【図３】
2007101977.tif 000005